(57)【要約】  少なくとも一枚以上の人工窓用ガラス板に形成された真空ホールを覆いでもって覆う人工窓製造設備の封口装置に係り、内部空間が形成され、真空環境が形成される真空室と、内部空間に設けられ、複数個の覆いを収容するカートリッジと、真空室に設けられ、カートリッジを順次に昇降させるカートリッジエレベータと、内部空間に設けられ、カートリッジから覆いを一つずつ移送する覆い移送装置と、覆い移送装置から覆いを受け渡される覆い載置ヘッドと、覆い載置ヘッドを、ガラス板の真空ホールまで昇降させるヘッドエレベータと、を含むために、人工窓用ガラス板に形成された真空ホールを覆いで覆って密封させて工程を自動化することができ、生産性を大きく向上させることができ、装置の精度を高めることができる。
2016515086.tif 000002
【特許請求の範囲】
【請求項１】
少なくとも一枚以上の人工窓用のガラス板に形成された真空ホールを覆いでもって覆う人工窓製造設備の封口装置の構成にあたり、
内部空間が形成され、真空環境が形成される真空室と、
前記内部空間に設けられ、複数個の覆いを収容するカートリッジと、
前記真空室に設けられ、前記カートリッジを順次に昇降させるカートリッジエレベータと、
前記内部空間に設けられ、前記カートリッジから覆いを一つずつ移送する覆い移送装置と、
前記覆い移送装置から覆いを受け渡される覆い載置ヘッドと、
前記覆い載置ヘッドを、前記ガラス板の真空ホールまで昇降させるヘッドエレベータと、を含む人工窓製造設備の封口装置。
【請求項２】
前記真空室は、一側に開閉扉が設けられ、内部確認が可能である確認窓が設けられることを特徴とする請求項１に記載の人工窓製造設備の封口装置。
【請求項３】
前記カートリッジエレベータは、
前記真空室に固定される固定フレームと、
前記固定フレームに設けられるネジ棒と、
前記ネジ棒を回転させる回転モータと、
前記固定フレームに設けられるガイド部材と、
前記ネジ棒にネジ貫通され、前記ガイド部材に沿って昇降される稼動台と、
前記稼動台に設けられ、前記稼動台から前記カートリッジまで延設される延長バーと、
前記延長バーを取り囲み、稼動台と前記真空室との間に設けられるベローズ管と、を含むことを特徴とする請求項１に記載の人工窓製造設備の封口装置。
【請求項４】
前記カートリッジエレベータは、
前記固定フレームに設けられ、前記稼動台に設けられた感知突起を感知するリミット光センサをさらに含むことを特徴とする請求項１に記載の人工窓製造設備の封口装置。
【請求項５】
前記覆い移送装置は、
第１シリンダによって昇降する第１楔部材及び第２楔部材によって選択的に開閉される弾性フィンガと、
前記弾性フィンガが設けられ、第２シリンダによって、前記真空室に設けられたフィンガ移送レールに沿って移動されるフィンガ移動台と、を含むことを特徴とする請求項１に記載の人工窓製造設備の封口装置。
【請求項６】
前記覆い載置ヘッドは、
ヘッド本体と、
前記ヘッド本体に設けられ、前記覆いを加熱するヒータと、
前記ヘッド本体に設けられる弾性スプリングと連結され、外力によって、前記覆い下方に弾性後進され、前記覆いを案内する案内溝が設けられる弾性ガイドと、を含むことを特徴とする請求項１に記載の人工窓製造設備の封口装置。
【請求項７】
前記ヘッドエレベータは、
前記真空室に固定される固定フレームと、
前記固定フレームに設けられるネジ棒と、
前記ネジ棒を回転させる回転モータと、
前記固定フレームに設けられるガイド部材と、
前記ネジ棒にネジ貫通され、前記ガイド部材に沿って昇降される稼動台と、
前記稼動台に設けられ、前記稼動台から前記覆い載置ヘッドまで延設される延長バーと、
前記延長バーを取り囲み、稼動台と前記真空室との間に設けられるベローズ管と、を含むことを特徴とする請求項１に記載の人工窓製造設備の封口装置。
【請求項８】
前記ヘッドエレベータは、
前記延長バーと前記覆い載置ヘッドとの間に設けられ、前記覆い載置ヘッドを、Ｘ軸方向及びＹ軸方向に移動させる位置調節装置をさらに含むことを特徴とする請求項７に記載の人工窓製造設備の封口装置。
【請求項９】
前記位置調節装置は、
前記固定フレームに設けられるＹ軸レールに沿って、Ｙ軸移送モータによってＹ軸方向に移動されるＹ軸稼動台と、
前記Ｙ軸稼動台に設けられるＸ軸レールに沿って、Ｘ軸移送モータによってＸ軸方向に移動され、前記延長バーと連結されるＸ軸稼動台と、を含むことを特徴とする請求項８に記載の人工窓製造設備の封口装置。
【請求項１０】
前記位置調節装置は、
前記固定フレームに設けられ、前記Ｙ軸稼動台に設けられた感知突起を感知するリミット光センサをさらに含むことを特徴とする請求項９に記載の人工窓製造設備の封口装置。
【発明の詳細な説明】
【技術分野】
【０００１】
本発明は、人工窓製造設備の封口装置に係り、さらに詳細には、人工窓用ガラス板に形成された真空ホールを覆いでもって覆う人工窓製造設備の封口装置に関する。
【背景技術】
【０００２】
一般的に、人工窓とは、上板と下板との間に真空部を形成し、外部から伝達される騷音と振動とを遮断することは言うまでもなく、外部から伝達される熱エネルギーを遮断することにより、断熱性を上昇させるガラス窓の一種である。
【０００３】
かような人工窓を製造するために、従来には、１対の上板と下板とからなるガラス板のエッジにフリットシール（ｆｒｉｔ  ｓｅａｌ）を塗布して熱処理した後、常温で冷却した後、上板と下板との間に真空部を形成した。
【０００４】
特に、前記下板には、排気ホールが形成され、排気ホール周辺に、短いパイプ状のチップ（ｔｉｐ）を設けた後、前記チップに真空ホースを連結することにより、上板と下板との間の空気を排気して真空部を形成した後、前記真空ホースが除去されたチップを融接して真空部を密閉する方式を適用した。
【０００５】
しかし、かような方式によって製造された従来の人工窓は、チップの一部が融着され、下板表面に残って突出するものであり、表面が滑らかではなく、真空ホースで形成することができる真空度が低く、人工窓の機能に劣り、突出したチップが外力に脆弱であり、製品が破損されるというような多くの問題点があった。
【０００６】
特に、従来の人工窓製造方法は、高温及び高真空の環境でも、巨大なガラス板を安全に運搬するパレット（ｐａｌｌｅｔ）が開発されず、一連の過程が手作業に依存しており、工程を自動化及びライン化することができず、生産性が大きく落ちるという問題点があった。
【発明の概要】
【発明が解決しようとする課題】
【０００７】
本発明の思想は、自動化ラインに沿って移送される人工窓用ガラス板に形成された真空ホールを覆いで覆って密封させて工程を自動化することができ、生産性を大きく向上させる人工窓製造設備の封口装置を提供するところにある。
【課題を解決するための手段】
【０００８】
前記課題を解決するための本発明の思想による人工窓製造設備の封口装置は、少なくとも一枚以上の人工窓用ガラス板に形成された真空ホールを覆いでもって覆う人工窓製造設備の封口装置の構成にあたり、内部空間が形成され、真空環境が形成される真空室と、前記内部空間に設けられ、複数個の覆いを収容するカートリッジと、前記真空室に設けられ、前記カートリッジを順次に昇降させるカートリッジエレベータと、前記内部空間に設けられ、前記カートリッジから覆いを一つずつ移送する覆い移送装置と、前記覆い移送装置から覆いを受け渡される覆い載置ヘッドと、前記覆い載置ヘッドを、前記ガラス板の真空ホールまで昇降させるヘッドエレベータと、を含んでもよい。
【０００９】
また、本発明の思想によれば、前記真空室は、一側に開閉扉が設けられ、内部確認が可能である確認窓が設けられる。
【００１０】
また、本発明の思想によれば、前記カートリッジエレベータは、前記真空室に固定される固定フレームと、前記固定フレームに設けられるネジ棒と、前記ネジ棒を回転させる回転モータと、前記固定フレームに設けられるガイド部材と、前記ネジ棒にネジ貫通され、前記ガイド部材に沿って昇降される稼動台と、前記稼動台に設けられ、前記稼動台から前記カートリッジまで延設される延長バーと、前記延長バーを取り囲み、稼動台と前記真空室との間に設けられるベローズ管と、を含んでもよい。
【００１１】
また、本発明の思想によれば、前記カートリッジエレベータは、前記固定フレームに設けられ、前記稼動台に設けられた感知突起を感知するリミット光センサをさらに含んでもよい。
【００１２】
また、本発明の思想によれば、前記覆い移送装置は、第１シリンダによって昇降する第１楔部材及び第２楔部材によって選択的に開閉される弾性フィンガと、前記弾性フィンガが設けられ、第２シリンダによって前記真空室に設けられたフィンガ移送レールに沿って移動されるフィンガ移動台と、を含んでもよい。
【００１３】
また、本発明の思想によれば、前記覆い載置ヘッドは、ヘッド本体と、前記ヘッド本体に設けられ、前記覆いを加熱するヒータと、前記ヘッド本体に設けられる弾性スプリングと連結され、外力によって前記覆い下方に弾性後進され、前記覆いを案内する案内溝が設けられる弾性ガイドと、を含んでもよい。
【００１４】
また、本発明の思想によれば、前記ヘッドエレベータは、前記真空室に固定される固定フレームと、前記固定フレームに設けられるネジ棒と、前記ネジ棒を回転させる回転モータと、前記固定フレームに設けられるガイド部材と、前記ネジ棒にネジ貫通され、前記ガイド部材に沿って昇降される稼動台と、前記稼動台に設けられ、前記稼動台から前記覆い載置ヘッドまで延設される延長バーと、前記延長バーを取り囲み、稼動台と前記真空室との間に設けられるベローズ管と、を含んでもよい。
【００１５】
また、本発明の思想によれば、前記ヘッドエレベータは、前記延長バーと前記覆い載置ヘッドとの間に設けられ、前記覆い載置ヘッドを、Ｘ軸方向及びＹ軸方向に移動させる位置調節装置をさらに含んでもよい。
【００１６】
また、本発明の思想によれば、前記位置調節装置は、前記固定フレームに設けられるＹ軸レールに沿って、Ｙ軸移送モータによってＹ軸方向に移動されるＹ軸稼動台と、前記Ｙ軸稼動台に設けられるＸ軸レールに沿って、Ｘ軸移送モータによってＸ軸方向に移動され、前記延長バーと連結されるＸ軸稼動台と、を含んでもよい。
【００１７】
また、本発明の思想によれば、前記位置調節装置は、前記固定フレームに設けられ、前記Ｙ軸稼動台に設けられた感知突起を感知するリミット光センサをさらに含んでもよい。
【発明の効果】
【００１８】
本発明の思想による人工窓製造設備の封口装置は、人工窓用ガラス板に形成された真空ホールを覆いで覆って密封させて工程を自動化することができ、生産性を大きく向上させることができ、装置の精度を高めることができる。
【図面の簡単な説明】
【００１９】
【図１】本発明思想の一部実施形態による人工窓製造設備の封口装置を示す部品分解斜視図である。
【図２】図１の真空室を拡大して示す組み立て斜視図である。
【図３】図１のＢ部分を拡大して示す拡大斜視図である。
【図４】図１のＣ部分を拡大して示す拡大斜視図である。
【図５】図２の正面図である。
【図６】図２の側断面図である。
【図７】図１の覆い載置ヘッドを示す斜視図である。
【発明を実施するための形態】
【００２０】
以下、添付された図面を参照し、本発明の望ましい多くの実施形態について詳細に説明する。
【００２１】
本発明の実施形態は、当該技術分野で当業者に、本発明についてさらに完全に説明するために提供され、下記実施形態は、さまざまに異なる形態に変形され、本発明の範囲は、下記実施形態に限定されるものではない。むしろ、それら実施形態は、本開示をさらに忠実であって完全なものにし、当業者に、本発明の思想を完全に伝達するために提供されるものである。また、図面において、各層の厚みや大きさは、説明の便宜及び明確性のために誇張されている。
【００２２】
明細書全体にかけて、膜、領域または基板のような１つの構成要素が、他の構成要素の「上に」、「連結」され、「積層」され、あるいは「カップリング」されて位置するとするとき、前記１つの構成要素が直接に他の構成要素の「上に」、「連結」され、「積層」され、あるいは「カップリング」されて接触したり、あるいはその間に介在される他の構成要素が存在したりすると解釈される。一方、１つの構成要素が他の構成要素の「直接上」に、「直接連結されて」または「直接カップリングされて」位置するとするときは、その間に介在される他の構成要素が存在しないと解釈される。同一符号は、同一要素を指す。本明細書で使用されているように、用語「及び／または」は、当該列挙された項目のうちいずれか一つ、及び一つ以上の全ての組み合わせを含む。
【００２３】
本明細書において、第１、第２のような用語が多様な部材、部品、領域、層及び／または部分の説明に使用されるが、それら部材、部品、領域、層及び／または部分は、それら用語によって限定されるものではないということは自明である。それら用語は、１つの部材、部品、領域、層または部分を、他の領域、層または部分と区別するためのみに使用される。従って、以下で説明する第１の部材、部品、領域、層または部分は、本発明の教示から外れずとも、第２の部材、部品、領域、層または部分をも指す。
【００２４】
また、「上部の」または「上の」、及び「下部の」または「下の」というような相対的な用語は、図面で図解されるように、他の要素に対するある要素の関係を記述するためにここで使用される。相対的用語は、図面で描写される方向に加え、素子の他の方向を含むものであると意図すると理解される。例えば、図面において素子がさかさまになるならば（ｔｕｒｎｅｄ  ｏｖｅｒ）、他の要素の上部の面上に存在するように描写される要素は、前記他の要素の下部の面上に方向を有する。それにより、例として、「上の」という用語は、図面の特定の方向に依存して、「下の」及び「上の」という方向いずれも含んでもよい。素子が異なる方向に向かうならば（他の方向に対して、９０°回転）、本明細書に使用される相対的な説明は、それによって解釈される。
【００２５】
本明細書で使用された用語は、特定実施形態の説明に使用され、本発明を制限するためのものではない。本明細書で使用されているように、単数形は、文脈上取り立てた場合を明らかに指すものではないならば、複数形を含む。また、本明細書で使用される場合、「含む（ｃｏｍｐｒｉｓｅ）」及び／または「含むところの（ｃｏｍｐｒｉｓｉｎｇ）」は、言及した形状、数、段階、動作、部材、要素及び／またはそれらグループの存在を特定するものであり、一つ以上の他の形状、数、動作、部材、要素及び／またはグループの存在または付加を排除するものではない。
【００２６】
以下、本発明の実施形態は、本発明の理想的な実施形態を概略的に図示する図面を参照して説明する。図面において、例えば、製造技術及び／または公差（ｔｏｌｅｒａｎｃｅ）によって、図示された形状の変形が予想される。従って、本発明思想の実施形態は、本明細書に図示された領域の特定形状に制限されたものであると解釈されるものではなく、例えば、製造上招来される形状の変化を含むものである。
【００２７】
図１は、本発明思想の一部実施形態による人工窓製造設備の封口装置１００を示す部品分解斜視図であり、図２は、図１の真空室１０を拡大して示す組み立て斜視図であり、図３は、図１のＢ部分を拡大して示す拡大斜視図であり、図４は、図１のＣ部分を拡大して示す拡大斜視図であり、図５は、図２の正面図であり、図６は、図２の側断面図である。
【００２８】
まず、図１ないし図６に図示されているように、本発明の一部実施形態による人工窓製造設備の封口装置１００は、少なくとも一枚以上の人工窓用ガラス板１に形成された真空ホール１ａを覆い２で覆う装置であり、大きく見て、真空室１０と、カートリッジ２０と、カートリッジエレベータ３０と、覆い移送装置４０と、覆い載置ヘッド５０及びヘッドエレベータ６０と、を含んでもよい。
【００２９】
ここで、図１ないし図６に図示されているように、前記真空室１０は、内部空間Ａが形成され、真空環境が形成されるチャンバ構造物でもある。
【００３０】
かような前記真空室１０は、図１ないし図６に図示されているように、一側に、開閉扉１１が設けられ、部品の補充及び交替が可能であり、内部確認が可能な確認窓１２が設けられ、作業者が内部の状況を肉眼で確認することができる。
【００３１】
また、前記カートリッジ２０は、前記真空室１０の前記内部空間Ａに設けられ、複数個の覆い２が積層された状態で収容し、前記カートリッジエレベータ３０によって、順次に昇降することができる構造物でもある。
【００３２】
また、前記カートリッジエレベータ３０は、前記真空室１０と連結されて設けられ、前記カートリッジ２０を順次に昇降させるために、図１ないし図６に図示されているように、前記真空室１０に固定される固定フレーム３１と、前記固定フレーム３１に設けられるネジ棒３２と、前記ネジ棒３２を回転させる回転モータ３３と、前記固定フレーム３１に設けられるガイド部材３４と、前記ネジ棒３２にネジ貫通され、前記ガイド部材３４に沿って昇降される稼動台３５と、前記稼動台３５に設けられ、前記稼動台３５から前記カートリッジ２０まで延設される延長バー３６と、前記延長バー３６を取り囲み、稼動台３５と前記真空室１０との間に設けられるベローズ管３７と、を含んでもよい。
【００３３】
従って、かような前記カートリッジエレベータ３０の作動過程について説明すれば、前記回転モータ３３が一定角度ずつ回転されれば、前記ネジ棒３２が回転されながら、前記稼動台３５が、前記ガイド部材３４に沿って順次に上昇されながら、前記カートリッジ２０に積層された複数個の覆い２が、後述する前記覆い移送装置４０によって順次に移送され、空白空間が発生しても、前記カートリッジ２０が最上層の覆い２を常に一定高で順次に待機させることができる。
【００３４】
また、図３に図示されているように、前記カートリッジエレベータ３０は、前記固定フレーム３１に設けられ、前記稼動台３５に設けられた感知突起３５ａを感知するリミット光センサ３８をさらに含んでもよい。
【００３５】
従って、前記リミット光センサ３８を利用して、前記カートリッジ２０の上昇高を感知したり、あるいは最上位置や最下位置などを感知したりし、作業者が正常な作業状態を確認することができるようにしたり、あるいは前記覆い２を補充する時期を作業者に知らせたりすることが可能である。
【００３６】
一方、図１ないし図６に図示されているように、前記覆い移送装置４０は、前記内部空間Ａに設けられ、前記カートリッジ２０から覆い２を一つずつ移送する装置であり、第１シリンダ４１によって昇降する第１楔部材４２及び第２楔部材４３によって、選択的に開閉される弾性フィンガ４４、及び前記弾性フィンガ４４が設けられ、第２シリンダ４５によって、前記真空室１０に設けられたフィンガ移送レール４６に沿って移動されるフィンガ移動台４７を含んでもよい。
【００３７】
従って、前記覆い移送装置４０は、前記カートリッジエレベータ３０によって、一定高で移送された覆い２を、第１楔部材４２によって、その間が広くなった前記弾性フィンガ４４が取ることができるように、前記第１シリンダ４１を利用して、前記第１楔部材４２を上昇させ、前記弾性フィンガ４４をすぼめ、次に、前記覆い２を取った前記弾性フィンガ４４を、前記第２シリンダを利用して、前記フィンガ移動台４７と共に、前記覆い載置ヘッド５０の位置まで移動させた後、さらに前記第１シリンダ４１を利用して、前記第２楔部材４３を下降させ、前記弾性フィンガ４４を広げることにより、前記覆い２を、前記覆い載置ヘッド５０上に個別的に載置させることができる。
【００３８】
それにより、前記真空室１０の内部には、シリンダやモータなどの駆動器具が設けられず、シリンダやモータは、前記真空室１０の外部に設けられ、外部異物から、前記覆い２を清浄に保護するということは言うまでもなく、前記真空室１０の高真空圧がそのまま維持される。
【００３９】
図７は、図１の覆い載置ヘッド５０を示す斜視図である。
【００４０】
さらに、図７に図示されているように、前記覆い載置ヘッド５０は、前記覆い移送装置４０から覆い２を受け渡されるものであり、ヘッド本体５１と、前記ヘッド本体５１に設けられ、前記覆い２を加熱するヒータ５２と、前記ヘッド本体５１に設けられる弾性スプリング５３と連結され、外力によって、前記覆い２の下方に弾性後進され、前記覆い２を案内する案内溝５４ａが設けられる弾性ガイド５４と、を含んでもよい。
【００４１】
従って、前記覆い２は、前記弾性ガイド５４の案内溝５４ａによって案内されて整列され、次に、前記ヒータ５２によって、前記覆い載置ヘッド５０に載置された覆い２は、高温にあらかじめ予熱され、前記覆い載置ヘッド５０が、前記覆い２を載置した状態で、前記ヘッドエレベータ６０によって、前記ガラス板１方向に上昇すれば、まず前記弾性ガイド５４が、前記ガラス板１と衝突しながら弾性後進されながら、前記覆い２が整列された状態で、正確な真空ホールＨの位置に精密に封口される。
【００４２】
一方、図１ないし図６に図示されているように、前記ヘッドエレベータ６０は、前記覆い載置ヘッド５０を、前記ガラス板１の真空ホールＨまで昇降させる装置であり、前記真空室１０に固定される固定フレーム６１と、前記固定フレーム６１に設けられるネジ棒６２と、前記ネジ棒６２を回転させる回転モータ６３と、前記固定フレーム６１に設けられるガイド部材６４と、前記ネジ棒６２にネジ貫通され、前記ガイド部材６４に沿って昇降される稼動台６５と、前記稼動台６５に設けられ、前記稼動台６５から前記覆い載置ヘッド５０まで延設される延長バー６６と、前記延長バー６６を取り囲み、稼動台６５と前記真空室１０との間に設けられるベローズ管６７と、を含んでもよい。
【００４３】
従って、かような前記ヘッドエレベータ６０の作動過程について説明すれば、前記回転モータ６３が回転されれば、前記ネジ棒６２が回転されながら、前記稼動台６５が前記ガイド部材６４に沿って上昇し、前記覆い２が載置された前記覆い載置ヘッド５０を、前記ガラス板１方向に上昇させる。次に、前記覆い２が、前記ガラス板１に封口されれば、さらに前記回転モータ６３を逆回転させ、前記稼動台６５を下降させることにより、次の覆い２のために待機することができる。
【００４４】
一方、本発明の一部実施形態による人工窓製造設備の封口装置１００は、図１ないし図６に図示されているように、前記延長バー６６と、前記覆い載置ヘッド５０との間に設けられ、前記覆い載置ヘッド５０を、Ｘ軸方向及びＹ軸方向に移動させる位置調節装置７０をさらに含んでもよい。
【００４５】
ここで、図１ないし図６に図示されているように、前記位置調節装置７０は、前記固定フレーム６１に設けられるＹ軸レール７１に沿ってカムＣを回転させるＹ軸移送モータ７２によってＹ軸方向に移動されるＹ軸稼動台７３、及び前記Ｙ軸稼動台７３に設けられるＸ軸レール７４に沿って、Ｘ軸移送モータ７５によってＸ軸方向に移動され、前記延長バー６６と連結されるＸ軸稼動台７６を含んでもよい。
【００４６】
従って、前記Ｘ軸移送モータ７５及び前記Ｙ軸移送モータ７２を適切に回転させ、前記延長バー６６と連結された覆い載置ヘッド５０を、Ｘ軸方向及びＹ軸方向に精密に移動させ、前記ガラス板１の真空ホールＨ位置と正確に一致させることができる。
【００４７】
一方、図４に図示されているように、前記位置調節装置７０は、前記固定フレーム６１に設けられ、前記Ｙ軸稼動台７３に設けられた感知突起７７を感知するリミット光センサ７８を含んでもよい。
【００４８】
従って、前記リミット光センサ７８を利用して、前記延長バー６６と連結された覆い載置ヘッド５０の位置を感知することにより、作業者が、前記覆い載置ヘッド５０の精密な調整を行うことが可能である。
【００４９】
本発明は、前述のような実施形態に限定されるものではなく、本発明の思想を外れない範囲内で、当業者による変形が可能であるということは言うまでもない。
【００５０】
従って、本発明で権利を請求する範囲は、詳細な説明の範囲内によって決まるものではなく、特許請求の範囲及びその技術的思想によって限定されるものである。
【図１】
2016515086.tif 000003
【図２】
2016515086.tif 000004
【図３】
2016515086.tif 000005
【図４】
2016515086.tif 000006
【図５】
2016515086.tif 000007
【図６】
2016515086.tif 000008
【図７】
2016515086.tif 000009
【国際調査報告】
2016515086.tif 000010
2016515086.tif 000011
2016515086.tif 000012
2016515086.tif 000013